(57)【要約】      （修正有）【課題】コミュニティＦＭ放送に防災行政無線放送を組み合わせた防災放送装置を提供する。【解決手段】防災行政無線放送を受信することにより出力信号を形成する受信機２１と、前記受信機の出力信号を受けて放送開始信号を発生する信号自動発生装置２２と、通常のコミュニティＦＭ放送を行う放送装置であって、担当者の操作に応じて放送開始および停止の予告信号を形成する予告信号発生装置２４ａおよび音声信号を取り入れるマイクロフォン２４ｂを有し、前記予告信号および音声放送終了信号を含んだ放送信号を形成する放送装置２４と、前記信号自動発生装置および前記放送装置の出力を得て、放送の開始から終了までの間、前記放送装置が行っている通常のＦＭ放送から防災行政無線放送を含む緊急放送に切り換えるための緊急割り込みを行う緊急割込み装置２３と、前記緊急割込み装置の出力を得て送信する手段２５と、をそなえた。【選択図】図１
2014086893.tif 000002
【特許請求の範囲】
【請求項１】
防災行政無線放送を受信することにより出力信号を形成する受信機と、
前記受信機の出力信号を受けて放送開始信号を発生する信号自動発生装置と、
通常のコミュニティＦＭ放送を行う放送装置であって、担当者の操作に応じて放送開始および停止の予告信号を形成する予告信号発生装置および音声信号を取り入れるマイクロフォンを有し、前記予告信号および音声放送終了信号を含んだ放送信号を形成する放送装置と、
前記信号自動発生装置および前記放送装置の出力を得て、放送の開始から終了までの間、前記放送装置が行っている通常のＦＭ放送から防災行政無線放送を含む緊急放送に切り換えるための緊急割り込みを行う緊急割込み装置と、
前記緊急割込み装置の出力を得て送信する手段と、
をそなえたコミュニティＦＭ放送による防災放送装置。
【請求項２】
請求項１記載のコミュニティＦＭ放送による防災放送装置において、
前記放送装置は、操作に応じて放送の開始、終了のＤＴＭＦ信号を発生する押ボタン式信号発生装置を有し、前記ＤＴＭＦ信号に応じて緊急放送を行うことを特徴とするコミュニティＦＭ放送による防災放送装置。
【請求項３】
請求項１記載のコミュニティＦＭ放送による防災放送装置において、
前記受信機は、緊急放送であることを示すＤＴＭＦ信号および放送指令用接点信号を発生し、
前記信号自動発生装置は、前記接点信号に応じて前記緊急割込み装置に割込み動作を行わせる
ことを特徴とするコミュニティＦＭ放送による防災放送装置。
【請求項４】
防災行政無線放送を含む緊急放送を受信する手段、担当者の操作により音声信号を含む緊急放送信号を形成する放送操作卓手段、および前記緊急放送信号を電波として送出する送信手段を有する防災放送装置において、
前記放送操作卓手段は、担当者の操作により緊急放送の放送開始信号を形成し、必要に応じて音声信号とともに前記送信手段に与えるように構成されたことを特徴とする防災放送装置。
【請求項５】
請求項４記載の防災放送装置において、
前記放送操作卓手段は、前記放送開始信号としてＤＴＭＦ信号を形成することを特徴とする防災放送装置。
【発明の詳細な説明】
【技術分野】
【０００１】
本発明は、コミュニティＦＭ放送を利用した防災放送装置に関する。
【背景技術】
【０００２】
自然災害をはじめとする緊急事態の発生時に、例えば自治体単位で、防災用の緊急放送を行う設備が備えられている。この放送システムは、従来はアナログ方式であって十分に普及が進んだ状況にあるが、今後はデジタル化される方向にある。ただし、高価であるため普及が進まないという状況である。そこで、現況では、普及しているアナログ方式を前提に防災行政無線システムを展開している。
【０００３】
従来、この種の防災技術としては、例えば防災放送受信機の外に、一般のＡＭ／ＦＭ放送受信機で防災無線放送を受信するように、再送信子局を介在させるものがある（特許文献１参照）。
【０００４】
また、緊急警報を受信したとき、ＡＭ／ＦＭ放送の受信時であっても緊急放送に切換受信する受信機がある（特許文献2参照）。
【０００５】
さらに、一般のＡＭ／ＦＭ放送と防災無線放送とを共用する形態のものがある（特許文献３）。これは、一般のＡＭ／ＦＭ放送受信機に緊急放送受信機能を付加したものである。
【先行技術文献】
【特許文献】
【０００６】
【特許文献１】特開2007-174485号公報
【特許文献２】特開2008-160789号公報
【特許文献３】特開2010-263315号公報
【発明の開示】
【発明が解決しようとする課題】
【０００７】
一方、防災面から近年着目されている放送として、自治体の一部地域をコミュニティとして運営しているコミュニティＦＭ放送がある。防災行政無線放送よりも大出力であって、より広い伝播範囲を持つことが理由である。
【０００８】
そこで、従来のＡＭ／ＦＭ放送に流す緊急放送に加えて、コミュニティＦＭ放送による緊急放送が検討されている。
【０００９】
本発明は、上述の点を考慮してなされたもので、コミュニティＦＭ放送に防災行政無線放送を組み合わせた防災放送装置を提供することを目的とする。
【課題を解決するための手段】
【００１０】
上記目的達成のため、本発明では、
防災行政無線放送を受信することにより出力信号を形成する受信機と、
前記受信機の出力信号を受けて放送開始信号を発生する信号自動発生装置と、
通常のコミュニティＦＭ放送を行う放送装置であって、担当者の操作に応じて放送開始および停止の予告信号を形成する予告信号発生装置および音声信号を取り入れるマイクロフォンを有し、前記予告信号および音声放送終了信号を含んだ放送信号を形成する放送装置と、
前記信号自動発生装置および前記放送装置の出力を得て、放送の開始から終了までの間、前記放送装置が行っている通常のＦＭ放送から防災行政無線放送を含む緊急放送に切り換えるための緊急割り込みを行う緊急割込み装置と、
前記緊急割込み装置の出力を得て送信する手段と、
をそなえたコミュニティＦＭ放送による防災放送装置、
および
防災行政無線放送を含む緊急放送を受信する手段、担当者の操作により音声信号を含む緊急放送信号を形成する放送操作卓手段、および前記緊急放送信号を電波として送出する送信手段を有する防災放送装置において、
前記放送操作卓手段は、担当者の操作により緊急放送の放送開始信号を形成し、必要に応じて音声信号とともに前記送信手段に与えるように構成されたことを特徴とする防災放送装置、
を提供するものである。
【発明の効果】
【００１１】
本発明は上述のように、コミュニティＦＭ放送装置を利用して防災緊急放送を行うため、広範囲に亘って緊急放送電波を行き渡らせることができ、コミュニティＦＭ放送が存在する地域の防災対策を拡充することができる。
【図面の簡単な説明】
【００１２】
【図１】本発明に係る防災放送システムの全体構成を示す説明図。
【図２】本発明の防災放送システムに使用する防災ラジオの構成を示すブロック図。
【図３】図１に示した防災放送システムの稼働に伴う各部信号を示すタイミングチャート。
【発明を実施するための最良の形態】
【００１３】
以下、添付図面を参照して本発明の実施の形態を説明する。
【実施例１】
【００１４】
図１は、本発明に係る防災放送システムの全体構成を示している。図示のように、ここで取り扱う放送は、防災行政無線放送装置１０による放送、コミュニティＦＭ放送装置２０による放送、および一般ＡＭ／ＦＭ放送の３種である。
【００１５】
そして、防災行政無線放送装置は当然であるが、他の２種の放送でも緊急放送が行われる。
【００１６】
したがって、本発明に用いる防災ラジオ受信機１００は、これら３種の放送を受信する機能を持つ。
【００１７】
上記３種の放送を取り扱う装置は、次の通りである。
【００１８】
まず防災行政無線放送装置１０は、
（i）Ｊ−ＡＬＥＲＴ（自治体衛星通信機構が運営する地域通信衛星ネットワーク）放送を受信するＪ−ＡＬＥＲＴ受信機１１、
（ii）内部に操作スイッチを含む操作機器が設けられ、Ｊ−ＡＬＥＲＴ受信機１１の出力を得て防災行政無線放送を行うための放送信号を自動的に形成するとともに、押ボタン式信号発生装置１２ａの操作により緊急放送の信号を形成し、必要に応じて既存のマイクロフォンによる音声信号を付加した信号とする防災行政無線放送操作卓１２、
および
（iii） 防災行政無線放送卓１２の出力を屋外拡声装置１４等に送信する送信装置１３、
をそなえている。
【００１９】
この防災行政無線放送装置１０は、第１に全国瞬時警報システムの稼働に自動的に応動するもので、さらに自治体等の防災担当者による押ボタン式信号発生装置１２ａの押しボタン操作に応じた動作を行う。この操作に基づく動作は、押ボタン式信号発生装置１２ａが発する放送開始および停止の予告信号（２桁ＤＴＭＦ［Dual Tone Multi-Frequency］信号で、「ピ、ポ」音声等として出力される）を含む放送信号にマイクロフォン１２ｂによる音声信号を必要に応じて加えるもので、形成された信号を送信装置１３から送信する。
【００２０】
この防災行政無線放送装置１０からの放送は、屋外拡声装置１４により受信され放送開始および放送停止の予告信号（２桁ＤＴＭＦ信号）を含めて音声出力されるとともに、コミュニティＦＭ放送装置２０における防災行政無線受信機２１および防災ラジオ受信機１００によっても受信される。
【００２１】
次に、コミュニティＦＭ放送装置２０であるが、この装置２０は、防災行政無線受信機２１の外に４つの装置、すなわち、
（１）防災行政無線受信機２１の受信に基づいて放送開始、停止の予告信号を発生する信号自動発生装置２２、
（２）この信号自動発生装置２２から予告信号を受けて割込み放送を行う緊急割込み装置２３、
（３）押ボタン式信号発生装置２４ａ、マイクロフォン２４ｂおよびミキサーを有し、これら押ボタン式信号発生装置２４ａおよびマイクロフォン２４ｂからの信号を、ミキサーを介して取り込み、放送信号を形成して緊急割込み装置２３に送る放送装置２４、そして
（４）緊急割込み装置２３の出力を送信する送信装置２５、
をそなえる。
【００２２】
ここで、押ボタン式放送開始信号発生装置２４ａは、防災行政無線放送装置１０における押ボタン式放送開始信号発生装置１２ａと同様に、操作員の操作により放送開始信号および放送停止信号（５桁ＤＴＭＦ信号、「ピ、ポ、パ、ピ、ポ」音声等として出力される）を発生するものである。
【００２３】
このコミュニティＦＭ放送装置２０からの放送も、防災ラジオ受信機１００により受信される。
【００２４】
図２は、本発明に用いる防災ラジオ受信機１００の構成を示すブロック図である。この受信機１００は、ＡＭ放送を受信するためのバーアンテナＡ−ＡＭとＦＭ放送を受信するためのアンテナＡ−ＦＭとを有する。バーアンテナＡ−ＡＭの受信信号はＡＭ／ＦＭ放送チューナーＴ３に与えられ、ＦＭアンテナＡ−ＦＭの受信信号は、ローパスフィルタＬＰＦを介して防災行政無線専用チューナーＴ１に、またハイパスフィルタＨＰＦを介してコミュニティＦＭ専用チューナーＴ２およびＡＭ／ＦＭ放送チューナーＴ３に与えられる。
【００２５】
すなわち、３つのチューナーＴ１，Ｔ２およびＴ３により防災行政無線放送、コミュニティＦＭ放送および一般ＡＭ／ＦＭ放送の３種の方法を受信することができる。これらチューナーＴ１，Ｔ２およびＴ３のうちＴ１，Ｔ２は電源ＰＳに常時接続されているが、一般ＡＭ／ＦＭ放送を受信するチューナーＴ３は電源スイッチＳＷの操作により電源ＰＳに対し接続または遮断される。
【００２６】
これらチューナーＴ１，Ｔ２およびＴ３の検出出力のうち音声信号は、切換回路ＣＣ１を介して増幅回路ＡＭＰに与えられ、スピーカＳＰから音声出力される。他方、チューナーＴ１，Ｔ２およびＴ３の検出出力のうち放送開始および停止の予告信号は、制御回路ＣＣ２に与えられて切換回路ＣＣ１の切換動作の制御に用いられる。
【００２７】
ここで、制御回路ＣＣ２による受信優先順位は、
Ｔ２＞Ｔ１＞Ｔ３
であり、コミュニティＦＭ放送による緊急放送が最優先、次いで防災行政無線、そしてＡＭ／ＦＭ放送という順序である。
【００２８】
図３は、図１に示した防災放送システムの各部における信号を示すタイミングチャートである。
【００２９】
このタイミングチャートにしたがって、コミュニティＦＭ放送装置２０を中心にした動作説明を行う。まず、例えばＪ−ＡＬＥＲＴ受信機１１が信号を受信するか、あるいは自治体が独自に判断するかにより、担当者である操作員が防災行政無線放送装置１０の防災行政無線放送操作卓１２における主操作スイッチＭＳを操作して、防災行政無線放送の開始操作を行う（図３(ａ)）。
【００３０】
これにより、送信装置１３から防災行政無線放送の送信が開始される（図３(ｂ)）。この結果、無線放送を受信した屋外拡声装置１４等では音声出力がなされる。
【００３１】
他方、自治体等の担当者である操作員は、自治体等の独自の判断に基づく緊急放送を行うこともある。すなわち、操作員は、防災行政無線放送装置１０に付属する押ボタン式信号発生装置１２ａを押して（図３(ｃ)）、防災行政無線放送操作卓１２から放送開始の予告信号（２桁ＤＴＭＦ）を発生させ、マイクロフォン１２ｂによる必要な音声信号を付加して送信装置１３に送り各受信機に向けて送信する（図３(ｄ)）。
【００３２】
これに応じてコミュニティＦＭ放送装置２０では、防災行政無線受信機２１が放送開始の予告信号を受信して、放送指令中持続する接点信号および予告信号としての２桁ＤＴＭＦ信号を信号自動発生装置２２に与える。
【００３３】
信号自動発生装置２２は、受信した接点信号に応じて緊急割込み装置２３の切換手段を切換えさせ（スイッチを破線側に倒し）、それまで放送装置２４が行っていた通常のコミュニティＦＭ放送から緊急放送に切換える緊急割込みを行わせる（図３(e)）とともに、予告信号に基づく（放送開始信号としての）５桁ＤＴＭＦ信号を形成して緊急割込み装置２３に与える（図３(f)）。
【００３４】
これにより、緊急割込み装置２３から送信装置２５に５桁ＤＴＭＦ信号および音声信号が出力され、送信装置２５から防災ラジオ受信機１００等に向けて電波が送出される。
【００３５】
この結果、コミュニティＦＭ放送装置２０は、通常放送モードから緊急放送モードに切り換わり、防災行政無線放送装置１０から送られてくる音声信号を放送する（図３(g)）。
【００３６】
ここで、放送装置２４には、防災行政無線放送装置１０におけるように、押ボタン式信号発生装置２４ａおよびマイクロフォン２４ｂが設けられており、ミキサーを介して放送装置２４に接続されている。したがって、コミュニティが存在する自治体の当局（例えば市役所等）からの要請に応じて緊急放送を行うことができる。
【００３７】
この緊急放送は、通常の放送中に、つまり緊急割込み装置２３の切換手段を切り換えずに（スイッチを実線側においたままで）、コミュニティＦＭ放送局の職員等が、押ボタン式信号発生装置２４ａおよびマイクロフォン２４ｂを用いて行う。
【００３８】
緊急放送が行われた後、放送を終了する時には、防災行政無線放送装置１０において、操作員が押ボタン式信号発生装置１２ａを操作すると（図３(h)）、防災行政無線放送操作卓１２から放送停止の予告信号（２桁ＤＴＭＦ信号）が発生され（図３(i)）、送信装置１３から送信される。
【００３９】
これに応じてコミュニティＦＭ装置２０では、防災行政無線受信機２１が受信した放送停止の予告信号（図３(i)）によって信号自動発生装置２２が接点信号を止め、放送停止信号（５桁ＤＴＭＦ信号）を発生する（図３(j)）。
【００４０】
この結果、コミュニティＦＭ放送装置２０の防災行政無線放送が終了する（図３(k)）。
【００４１】
このようにして、コミュニティＦＭ放送を用いて、本来の防災行政無線放送では不可能な広い範囲に亘って防災行政無線放送を伝播させることができる。
【符号の説明】
【００４２】
１０  防災行政無線放送装置
１１  Ｊ−ＡＬＥＲＴ受信機、１２  防災行政無線放送操作卓、
１２ａ  押ボタン式信号発生装置、１２ｂ  マイクロフォン、
１３  送信装置、１４  屋外拡声装置
２０  コミュニティＦＭ放送装置
２１  防災行政無線受信機、２２  信号自動発生装置、２３  緊急割込み装置、
２４  放送装置（ミキサ付き）、２４ａ  押ボタン式信号発生装置、
２４ｂ  マイクロフォン、２５  送信装置
１００  防災ラジオ受信機
Ａ−ＦＭ  ＦＭアンテナ、Ａ−ＡＭ  ＡＭ用バーアンテナ、
ＬＰＦ  ローパスフィルタ、ＨＰＦ  ハイパスフィルタ、ＰＳ  電源、
Ｔ１  防災行政無線放送専用チューナー、
Ｔ２  コミュニティＦＭ放送専用チューナー、
Ｔ３  ＡＭ／ＦＭ放送用チューナー
ＣＣ１  切換回路、ＣＣ２  制御回路、ＡＭＰ  増幅回路、ＳＰ  スピーカ、
ＤＴＭＦ  合成音声信号
【図１】
2014086893.tif 000003
【図２】
2014086893.tif 000004
【図３】
2014086893.tif 000005